(57)【要約】【課題】機器を音声で操作可能な浴室システムにおいて、より確実に音声収集を行うことができる浴室システムを提供する。【解決手段】浴室に設けられる機器を音声で操作可能な浴室システムであって、使用者が発する音声を収集する複数の音声収集部と、前記複数の音声収集部によって収集された前記音声に基づいて、前記機器の動作を制御する制御部と、を備え、前記複数の音声収集部は、前記浴室の天井、床、及び側壁のうち２面以上に設けられることを特徴とする浴室システム。【選択図】図２
2020116165.tif 000002
【特許請求の範囲】
【請求項１】
浴室に設けられる機器を音声で操作可能な浴室システムであって、
使用者が発する音声を収集する複数の音声収集部と、
前記複数の音声収集部によって収集された前記音声に基づいて、前記機器の動作を制御する制御部と、
を備え、
前記複数の音声収集部は、前記浴室の天井、床、及び側壁のうち２面以上に設けられることを特徴とする浴室システム。
【請求項２】
前記複数の音声収集部は、前記天井、前記床、及び前記側壁のうち吐水装置が設けられる面以外の２面以上に設けられることを特徴とする請求項１記載の浴室システム。
【請求項３】
前記複数の音声収集部は、前記側壁のうち前記吐水装置が設けられる側壁以外の２面以上の側壁に設けられることを特徴とする請求項２記載の浴室システム。
【請求項４】
前記複数の音声収集部は、前記天井、前記床、及び前記側壁のうちスピーカーが設けられる面以外の２面以上に設けられることを特徴とする請求項１〜３のいずれか１つに記載の浴室システム。
【請求項５】
前記複数の音声収集部は、浴槽の長辺側に接する第１側壁と、前記第１側壁に対向する第２側壁と、に設けられることを特徴とする請求項１〜４のいずれか１つに記載の浴室システム。
【発明の詳細な説明】
【技術分野】
【０００１】
本発明の態様は、一般的に、浴室システムに関する。
【背景技術】
【０００２】
浴室に設けられる機器を操作する手段として、非接触手段である音声入力による操作（音声操作）が有効である。浴室内で音声操作を実現するためには、使用者が発する音声を収集するための音声収集部（例えば、マイク）を浴室内に設置する必要がある。
【先行技術文献】
【特許文献】
【０００３】
【特許文献１】特開平１０−２５９９４１号公報
【発明の概要】
【発明が解決しようとする課題】
【０００４】
浴室には、吐水装置（例えば、シャワー）やマッサージ機器（例えば、ブローバス）、洗浄機器（例えば、浴室床洗浄装置）、ＡＶ（オーディオビジュアル）機器（例えば、スピーカー）などの使用時に音が発生する機器が設けられる場合がある。これらの機器の周辺に音声収集部を設けると、機器から発生する音により使用者が発する音声を収集しにくくなるおそれがある。また、これらの機器は、浴室内の側壁や浴槽、床、天井などに分かれて設けられるため、１か所に設けられた音声収集部では、音声収集が困難な場合があるという課題がある。
【０００５】
本発明は、かかる課題の認識に基づいてなされたものであり、機器を音声で操作可能な浴室システムにおいて、より確実に音声収集を行うことができる浴室システムを提供することを目的とする。
【課題を解決するための手段】
【０００６】
第１の発明は、浴室に設けられる機器を音声で操作可能な浴室システムであって、使用者が発する音声を収集する複数の音声収集部と、前記複数の音声収集部によって収集された前記音声に基づいて、前記機器の動作を制御する制御部と、を備え、前記複数の音声収集部は、前記浴室の天井、床、及び側壁のうち２面以上に設けられることを特徴とする浴室システムである。
【０００７】
この浴室システムによれば、複数の音声収集部を、浴室の天井、床、及び側壁のうち２面以上に設けることで、吐水装置やマッサージ機器、洗浄機器、ＡＶ機器などの使用時に音が発生する機器を使用した場合であっても、複数の音声収集部によって、より確実に音声収集を行うことができる。これにより、浴室における音声操作の使い勝手を向上させることができる。
【０００８】
第２の発明は、第１の発明において、前記複数の音声収集部は、前記天井、前記床、及び前記側壁のうち吐水装置が設けられる面以外の２面以上に設けられることを特徴とする浴室システムである。
【０００９】
この浴室システムによれば、複数の音声収集部を、天井、床、及び側壁のうち吐水装置が設けられる面以外の２面以上に設けることで、使用時に音が発生する吐水装置から音声収集部を遠ざけることができる。これにより、より確実に音声収集を行うことができ、浴室における音声操作の使い勝手を向上させることができる。
【００１０】
第３の発明は、第２の発明において、前記複数の音声収集部は、前記側壁のうち前記吐水装置が設けられる側壁以外の２面以上の側壁に設けられることを特徴とする浴室システムである。
【００１１】
この浴室システムによれば、複数の音声収集部を、側壁のうち吐水装置が設けられる側壁以外の２面以上の側壁に設けることで、側壁に設けられる吐水装置や天井に設けられることが多いスピーカーから音声収集部を遠ざけることができる。これにより、より確実に音声収集を行うことができ、浴室における音声操作の使い勝手を向上させることができる。
【００１２】
第４の発明は、第１〜第３のいずれか１つの発明において、前記複数の音声収集部は、前記天井、前記床、及び前記側壁のうちスピーカーが設けられる面以外の２面以上に設けられることを特徴とする浴室システムである。
【００１３】
この浴室システムによれば、複数の音声収集部を、天井、床、及び側壁のうちスピーカーが設けられる面以外の２面以上に設けることで、使用時に音が発生するスピーカーから音声収集部を遠ざけることができる。これにより、より確実に音声収集を行うことができ、浴室における音声操作の使い勝手を向上させることができる。
【００１４】
第５の発明は、第１〜第４のいずれか１つの発明において、前記複数の音声収集部は、浴槽の長辺側に接する第１側壁と、前記第１側壁に対向する第２側壁と、に設けられることを特徴とする浴室システムである。
【００１５】
一般的な浴室においては、第１側壁及び第２側壁以外の面に吐水装置が設けられることが多い。この浴室システムによれば、複数の音声収集部を、一般的に吐水装置が設けられにくい第１側壁及び第２側壁に設けることで、より確実に吐水装置から音声収集部を遠ざけることができる。これにより、より確実に音声収集を行うことができ、浴室における音声操作の使い勝手を向上させることができる。
【発明の効果】
【００１６】
本発明の態様によれば、機器を音声で操作可能な浴室システムにおいて、より確実に音声収集を行うことができる浴室システムが提供される。
【図面の簡単な説明】
【００１７】
【図１】実施形態に係る浴室システムを模式的に表すブロック図である。
【図２】実施形態に係る浴室システムを模式的に表す斜視図である。
【発明を実施するための形態】
【００１８】
以下、実施形態について図面を参照しつつ説明する。なお、各図面中、同様の構成要素には同一の符号を付して詳細な説明は適宜省略する。  
図１は、実施形態に係る浴室システムを模式的に表すブロック図である。  
図１に表したように、実施形態に係る浴室システム１００は、複数の音声収集部１０（１０ａ及び１０ｂ）と、制御部２０と、を有する。
【００１９】
音声収集部１０は、使用者が発する音声を収集する。音声収集部１０は、マイクロフォン（マイク）などの音声を入力可能な音声入力装置である。音声収集部１０は、制御部２０に接続されており、収集した（入力された）音声についてのデータを制御部２０に送信する。なお、音声収集部１０と制御部２０とは、有線接続されていてもよいし、無線接続されていてもよい。
【００２０】
制御部２０は、音声収集部１０によって収集された音声に基づいて、浴室に設けられる機器３０の動作を制御する。この例では、複数の機器３０が設けられている。機器３０は１つでもよい。機器３０は、制御部２０に接続されており、制御部２０からの制御信号に基づいて動作する。なお、各機器３０と制御部２０とは、有線接続されていてもよいし、無線接続されていてもよい。
【００２１】
浴室に設けられる機器３０は、例えば、吐水装置３１、空調機器３２、照明機器３３、ＡＶ機器３４、マッサージ機器３５、及び洗浄機器３６などを含む。吐水装置３１は、例えば、シャワーやカランを含む。空調機器３２は、例えば、暖房機能、涼風機能、乾燥機能、及び換気機能の少なくともいずれかを有する機器である。ＡＶ機器３４は、例えば、スピーカーやテレビ（映像を出力可能なモニター）を含む。マッサージ機器３５は、例えば、ブローバスや肩湯などの水流によるマッサージ機器を含む。洗浄機器３６は、浴室床洗浄装置や浴槽洗浄装置を含む。また、浴室に設けられる機器３０は、例えば、浴槽の排水栓などを含んでもよい。
【００２２】
なお、実施形態においては、浴室に設けられる機器３０のうち、少なくとも１つが音声で操作可能であればよい。換言すれば、浴室に設けられる機器３０のうち一部は、音声で操作できないものであってもよい。
【００２３】
制御部２０は、使用者の音声操作（すなわち、音声収集部１０によって収集された音声）に基づいて、例えば、吐水装置３１の吐水、止水、温度、及び流量などを制御する。制御部２０は、使用者の音声操作に基づいて、例えば、空調機器３２の動作開始、動作停止、温度、及び風量などを制御する。制御部２０は、使用者の音声操作に基づいて、例えば、照明機器３３の点灯、消灯、明るさ、色調などを制御する。制御部２０は、使用者の音声操作に基づいて、例えば、ＡＶ機器３４の動作開始、動作停止、及び音量などを制御する。制御部２０は、使用者の音声操作に基づいて、例えば、マッサージ機器３５の動作開始、動作停止、及び流量などを制御する。制御部２０は、使用者の音声操作に基づいて、例えば、洗浄機器３６の動作開始及び動作停止などを制御する。
【００２４】
また、制御部２０は、音声収集部１０によって収集された音声に基づいて、浴室に隣接する洗面所に設けられる機器の動作を制御してもよい。洗面所に設けられる音声操作可能な機器は、例えば、空調機器を含む。制御部２０は、使用者の音声操作に基づいて、例えば、洗面所に設けられる空調機器の動作開始、動作停止、温度、及び風量などを制御する。
【００２５】
図２は、実施形態に係る浴室システムを模式的に表す斜視図である。  
図２に表したように、浴室５０は、天井５１と、床５２と、側壁５３と、を有する。側壁５３は、天井５１と床５２との間に設けられる立面部である。側壁５３は、例えば、第１〜第４側壁５３ａ〜５３ｄを有する。
【００２６】
浴室５０の内部には、浴槽６０が設けられている。浴槽６０は、上面視において、略長方形である。換言すれば、浴槽６０は、一対の長辺６１と一対の短辺６２とを有する。床５２は、浴室５０の下部において、浴槽６０が設けられていない部分である。
【００２７】
第１側壁５３ａは、浴槽６０の長辺６１側に接する。第２側壁５３ｂは、第１側壁５３ａに対向する。第３側壁５３ｃ及び第４側壁５３ｄは、それぞれ第１側壁５３ａと第２側壁５３ｂとの間に位置し、第１側壁５３ａと第２側壁５３ｂとを接続する。第４側壁５３ｄは、第３側壁５３ｃに対向する。
【００２８】
この例では、第３側壁５３ｃには、鏡７０及びカウンター７２が設けられている。また、第４側壁５３ｄには、浴室５０に出入りするためのドア５５が設けられている。
【００２９】
また、この例では、浴室５０の内部に吐水装置３１、空調機器３２、照明機器３３、スピーカー３４、マッサージ機器３５、及び洗浄機器３６が設けられている。吐水装置３１は、第３側壁５３ｃに設けられている。空調機器３２、照明機器３３、及びスピーカー３４は、天井５１に設けられている。マッサージ機器３５は、浴槽６０に設けられている。また、洗浄機器３６は、吐水装置３１の下方に設けられたカウンター７２の下部に設けられている。
【００３０】
複数の音声収集部１０は、浴室５０の天井５１、床５２、及び側壁５３のうち２面以上に設けられる。この例では、複数の音声収集部１０は、音声収集部１０ａ及び音声収集部１０ｂを有する。音声収集部１０ａ及び音声収集部１０ｂは、浴室５０の天井５１、床５２、及び側壁５３（第１〜第４側壁５３ａ〜５３ｄ）のうち、互いに異なる面に設けられている。
【００３１】
このように、複数の音声収集部１０を、浴室５０の天井５１、床５２、及び側壁５３のうち２面以上に設けることで、吐水装置３１やマッサージ機器３５、洗浄機器３６、ＡＶ機器（スピーカー）３４などの使用時に音が発生する機器を使用した場合であっても、複数の音声収集部１０によって、より確実に音声収集を行うことができる。これにより、浴室５０における音声操作の使い勝手を向上させることができる。
【００３２】
なお、音声収集部１０の数は、２つに限定されず、３つ以上であってもよい。また、天井５１、床５２、及び側壁５３の異なる２面以上に音声収集部１０が設けられていれば、１つの面に複数の音声収集部１０が設けられていてもよい。すなわち、例えば、３つの音声収集部１０が設けられる場合、３つの音声収集部１０のそれぞれが天井５１、床５２、及び側壁５３の異なる面に設けられていてもよいし、１つの面に１つの音声収集部１０が設けられ、別の１つの面に２つの音声収集部１０が設けられていてもよい。複数の音声収集部１０は、それぞれ異なる面に設けられることが好ましい。
【００３３】
また、音声収集部１０は、浴室５０の天井５１、床５２、及び側壁５３を構成する部材に埋め込まれていてもよいし、浴室５０の内側または外側から天井５１、床５２、及び側壁５３を構成する部材に固定されていてもよい。
【００３４】
また、実施形態において、複数の音声収集部１０は、例えば、天井５１、床５２、及び側壁５３のうち、吐水装置３１が設けられる面以外の２面以上に設けられる。この例では、音声収集部１０ａ及び音声収集部１０ｂは、吐水装置３１が設けられる第３側壁５３ｃ以外の面（天井５１、床５２、第１側壁５３ａ、第２側壁５３ｂ、及び第４側壁５３ｄ）のうち、２面以上に設けられている。
【００３５】
このように、複数の音声収集部１０を、天井５１、床５２、及び側壁５３のうち吐水装置３１が設けられる面以外の２面以上に設けることで、使用時に音が発生する吐水装置３１から音声収集部１０を遠ざけることができる。これにより、より確実に音声収集を行うことができ、浴室５０における音声操作の使い勝手を向上させることができる。
【００３６】
また、実施形態において、複数の音声収集部１０は、例えば、側壁５３のうち吐水装置３１が設けられる側壁以外の２面以上の側壁５３に設けられる。この例では、音声収集部１０ａ及び音声収集部１０ｂは、吐水装置３１が設けられる第３側壁５３ｃ以外の側壁（第１側壁５３ａ、第２側壁５３ｂ、及び第４側壁５３ｄ）のうち、２面以上に設けられている。
【００３７】
このように、複数の音声収集部１０を、側壁５３のうち吐水装置３１が設けられる側壁以外の２面以上の側壁５３に設けることで、側壁５３に設けられる吐水装置３１や天井５１に設けられることが多いスピーカー３４から音声収集部１０を遠ざけることができる。これにより、より確実に音声収集を行うことができ、浴室５０における音声操作の使い勝手を向上させることができる。
【００３８】
また、実施形態において、複数の音声収集部１０は、例えば、天井５１、床５２、及び側壁５３のうちスピーカー３４が設けられる面以外の２面以上に設けられる。この例では、音声収集部１０ａ及び音声収集部１０ｂは、スピーカー３４が設けられる天井５１以外の面（床５２、第１側壁５３ａ、第２側壁５３ｂ、第３側壁５３ｃ、及び第４側壁５３ｄ）のうち、２面以上に設けられている。
【００３９】
このように、複数の音声収集部１０を、天井５１、床５２、及び側壁５３のうちスピーカー３４が設けられる面以外の２面以上に設けることで、使用時に音が発生するスピーカー３４から音声収集部１０を遠ざけることができる。これにより、より確実に音声収集を行うことができ、浴室５０における音声操作の使い勝手を向上させることができる。
【００４０】
また、実施形態において、複数の音声収集部１０は、例えば、第１側壁５３ａと、第２側壁５３ｂと、に設けられる。この例では、音声収集部１０ａは、第１側壁５３ａに設けられており、音声収集部１０ｂは、第２側壁５３ｂに設けられている。
【００４１】
一般的な浴室においては、第１側壁５３ａ及び第２側壁５３ｂ以外の面に吐水装置３１が設けられることが多い。この例では、吐水装置３１は第３側壁５３ｃに設けられている。そこで、複数の音声収集部１０を、一般的に吐水装置３１が設けられにくい第１側壁５３ａ及び第２側壁５３ｂに設けることで、より確実に吐水装置３１から音声収集部１０を遠ざけることができる。これにより、より確実に音声収集を行うことができ、浴室５０における音声操作の使い勝手を向上させることができる。
【００４２】
なお、２つの音声収集部１０を設ける場合に、音声収集部１０の１つを吐水装置３１が設けられる側壁（この例では、第３側壁５３ｃ）に対向する側壁（この例では、第４側壁５３ｄ）に設けることが考えられる。これにより、吐水装置３１や天井５１に設けられることが多いスピーカー３４から音声収集部１０を遠ざけることができる。一方、使用者は、吐水装置３１の使用中など吐水装置３１が設けられる側壁に顔を向けている場面が多い。そのため、吐水装置３１が設けられる側壁に対向する側壁に音声収集部１０を設けると、この音声収集部１０が使用者の背後に位置する場面が多くなり、第１側壁５３ａ及び第２側壁５３ｂに音声収集部１０設ける場合と比べて、音声を収集しにくくなるおそれがある。このような観点から、２つの音声収集部１０を設ける場合には、第１側壁５３ａ及び第２側壁５３ｂに設けることがより好ましい。
【００４３】
実施形態において、浴室システム１００は、浴室５０（天井５１、床５２、及び側壁５３）、機器３０（吐水装置３１、空調機器３２、照明機器３３、ＡＶ機器３４、マッサージ機器３５、及び洗浄機器３６など）、及び浴槽６０の少なくともいずれかを含んでもよい。
【００４４】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室システムなどが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００４５】
１０、１０ａ、１０ｂ 音声収集部、  ２０ 制御部、  ３０ 機器、  ３１ 吐水装置、  ３２ 空調機器、  ３３ 照明機器、  ３４ ＡＶ機器（スピーカー）、  ３５ マッサージ機器、  ３６ 洗浄機器、  ５０ 浴室、  ５１ 天井、  ５２ 床、  ５３ 側壁、  ５３ａ〜５３ｄ 第１〜第４側壁、  ５５ ドア、  ６０ 浴槽、  ６１ 長辺、  ６２ 短辺、  ７０ 鏡、  ７２ カウンター、  １００ 浴室システム
【図１】
2020116165.tif 000003
【図２】
2020116165.tif 000004